(57)【特許請求の範囲】
【請求項１】
携帯電話機の利用が禁止されている携帯電話機利用禁止エリア内で、携帯電話機宛ての着信を、携帯電話機の利用者に取り次ぐ携帯電話取り次ぎシステムにおいて、
前記携帯電話機利用禁止エリア内の入口受付に設けられた携帯電話機利用可能エリアに配置される回線接続コネクタと、利用者が前記携帯電話機利用禁止エリア内に入場する際、前記回線接続コネクタに接続される利用者の携帯電話機と、前記回線接続コネクタに接続される有線回線と、前記有線回線を収容接続する構内交換機と、前記携帯電話機利用禁止エリア内に入場している利用者を呼び出すための呼出装置と、前記携帯電話機利用禁止エリア内に配置され、呼び出された利用者が応答するための、前記構内交換機に接続される内線電話機とを備え、
前記回線接続コネクタに接続されている携帯電話機は、発呼者からの前記携帯電話機への着信要求を受信し、この着信要求に対してオフフック動作により自動応答し発呼者との呼の接続を確立する手段と、発呼者との呼の接続が確立された後、発呼者からの音声信号を、前記有線回線を介して前記構内交換機へ送る手段とを有し、
前記構内交換機は、発呼者からの、前記携帯電話機と前記有線回線とを介して到来する音声信号を検出する音声信号検出手段と、前記音声信号検出手段により発呼者からの音声信号が検出されるとき、前記発呼者に対して応答メッセージを送る自動応答メッセージ手段と、前記音声信号検出手段により発呼者からの音声信号が検出されるとき、前記携帯電話機利用禁止エリア内に居る利用者を呼び出すよう前記呼出装置を制御する手段と、呼び出された利用者による前記内線電話機からの応答を受信する手段と、前記内線電話機からの応答を受信して、前記内線電話機と前記携帯電話機と間を接続する手段とを有することを特徴とする携帯電話取り次ぎシステム。
【請求項２】
前記呼出装置は、音声により前記利用者を呼び出す音声呼び出し手段を有することを特徴とする請求項１項記載の携帯電話取り次ぎシステム。
【請求項３】
前記呼出装置は、無線信号を利用して前記利用者を呼び出す無線ページャ手段を有することを特徴とする請求項１項記載の携帯電話取り次ぎシステム。
【請求項４】
携帯電話機利用禁止エリア内の入口受付に設けられた携帯電話機利用可能エリアに配置される回線接続コネクタと、利用者が前記携帯電話機利用禁止エリア内に入場する際、前記回線接続コネクタに接続される利用者の携帯電話機と、前記回線接続コネクタに接続される有線回線と、前記有線回線を収容接続する構内交換機と、前記携帯電話機利用禁止エリア内に入場している利用者を呼び出すための呼出装置と、前記携帯電話機利用禁止エリア内に配置され、呼び出された利用者が応答するための、前記構内交換機に接続される内線電話機とを備え、前記携帯電話機宛ての着信を、前記携帯電話機利用禁止エリア内にいる利用者に取り次ぐ携帯電話取り次ぎ方法において、
前記携帯電話は、発呼者からの前記携帯電話機への着信要求を受信し、この着信要求に対してオフフック動作により自動応答し発呼者との呼の接続を確立するステップと、発呼者との呼の接続が確立された後、発呼者からの音声信号を、前記有線回線を介して前記構内交換機へ送るステップとを有し、
前記構内交換機は、発呼者からの、前記携帯電話機と前記有線回線とを介して到来する音声信号を検出する音声信号検出ステップと、前記音声信号検出ステップにより発呼者からの音声信号が検出されるとき、前記発呼者に対して応答メッセージを送るステップと、前記音声信号検出ステップにより発呼者からの音声信号が検出されるとき、前記携帯電話機利用禁止エリア内に居る利用者を呼び出すよう前記呼出装置を制御するステップと、呼び出された利用者による前記内線電話機からの応答を受信するステップと、前記内線電話機からの応答を受信して、保留されている呼を前記内線電話機へ接続するステップとを有することを特徴とする携帯電話取り次ぎ方法。
【請求項５】
前記構内交換機は、更に、前記着信呼制御ステップが呼の接続を確立すると、前記携帯電話機に着信を要求した発呼者に対して応答メッセージを送る自動応答メッセージステップを有することを特徴とする請求項４記載の携帯電話取り次ぎ方法。
【発明の詳細な説明】
【０００１】
【発明の属する技術分野】
本発明は、病院などの携帯電話利用禁止エリア内においても、携帯電話機宛ての着信を取り次ぐ携帯電話取り次ぎシステムに関する。
【０００２】
【従来の技術】
従来、携帯電話機の利用が禁止されている病院などの構内エリアにおいて、携帯電話機の利便性を損なうことなく、携帯電話機への着信を取り次ぐ携帯電話取り次ぎシステムに関しては、特開平１１−４１３５２号公報に開示された技術が知られている。
【０００３】
特開平１１−４１３５２号公報によれば、携帯電話用代理無線局を設けて、これに携帯電話機利用禁止エリア内に予め設けられている構内交換機を接続し、このエリアに入場する際に携帯電話機を預けて、携帯電話機の電話番号を登録することにより、電話番号を登録した携帯電話機宛ての着信を取り次ぐことを可能にしている。
【０００４】
【発明が解決しようとする課題】
このような従来の携帯電話取り次ぎシステムでは、携帯電話機の電話番号を登録することが必要であるので、個人の携帯電話機の電話番号が他の者、たとえば、構内交換機のオペレータ、に知られてしまい、携帯電話機のセキュリティが保護されないという課題を有する。
【０００５】
本発明の目的は、従来のこの様な課題を解決し、携帯電話機の電話番号を登録する必要のない、セキュリティの高い携帯電話取り次ぎシステムとその方法を提供することにある。
【０００８】
【課題を解決するための手段】
本発明の携帯電話取り次ぎシステムは、携帯電話機の利用が禁止されている携帯電話機利用禁止エリア内で、携帯電話機宛ての着信を、携帯電話機の利用者に取り次ぐ携帯電話取り次ぎシステムにおいて、前記携帯電話機利用禁止エリア内の入口受付に設けられた携帯電話機利用可能エリアに配置される回線接続コネクタと、利用者が前記携帯電話機利用禁止エリア内に入場する際、前記回線接続コネクタに接続される利用者の携帯電話機と、前記回線接続コネクタに接続される有線回線と、前記有線回線を収容接続する構内交換機と、前記携帯電話機利用禁止エリア内に入場している利用者を呼び出すための呼出装置と、前記携帯電話機利用禁止エリア内に配置され、呼び出された利用者が応答するための、前記構内交換機に接続される内線電話機とを備え、前記回線接続コネクタに接続されている携帯電話機は、発呼者からの前記携帯電話機への着信要求を受信し、この着信要求に対してオフフック動作により自動応答し発呼者との呼の接続を確立する手段と、発呼者との呼の接続が確立された後、発呼者からの音声信号を、前記有線回線を介して前記構内交換機へ送る手段とを有し、前記構内交換機は、発呼者からの、前記携帯電話機と前記有線回線とを介して到来する音声信号を検出する音声信号検出手段と、前記音声信号検出手段により発呼者からの音声信号が検出されるとき、前記発呼者に対して応答メッセージを送る自動応答メッセージ手段と、前記音声信号検出手段により発呼者からの音声信号が検出されるとき、前記携帯電話機利用禁止エリア内に居る利用者を呼び出すよう前記呼出装置を制御する手段と、呼び出された利用者による前記内線電話機からの応答を受信する手段と、前記内線電話機からの応答を受信して、前記内線電話機と前記携帯電話機と間を接続する手段とを有することを特徴とする。
【０００９】
また、本発明の携帯電話取り次ぎシステムは、前記呼出装置が、音声により前記利用者を呼び出す音声呼び出し手段を有することを特徴とする。
【００１０】
さらに、本発明の携帯電話取り次ぎシステムは、前記呼出装置が、無線信号を利用して前記利用者を呼び出す無線ページャ手段を有することを特徴とする。
【００１１】
また、本発明の携帯電話取り次ぎ方法は、携帯電話機利用禁止エリア内の入口受付に設けられた携帯電話機利用可能エリアに配置される回線接続コネクタと、利用者が前記携帯電話機利用禁止エリア内に入場する際、前記回線接続コネクタに接続される利用者の携帯電話機と、前記回線接続コネクタに接続される有線回線と、前記有線回線を収容接続する構内交換機と、前記携帯電話機利用禁止エリア内に入場している利用者を呼び出すための呼出装置と、前記携帯電話機利用禁止エリア内に配置され、呼び出された利用者が応答するための、前記構内交換機に接続される内線電話機とを備え、前記携帯電話機宛ての着信を、前記携帯電話機利用禁止エリア内にいる利用者に取り次ぐ携帯電話取り次ぎ方法において、
前記携帯電話は、発呼者からの前記携帯電話機への着信要求を受信し、この着信要求に対してオフフック動作により自動応答し発呼者との呼の接続を確立するステップと、発呼者との呼の接続が確立された後、発呼者からの音声信号を、前記有線回線を介して前記構内交換機へ送るステップとを有し、
前記構内交換機は、発呼者からの、前記携帯電話機と前記有線回線とを介して到来する音声信号を検出する音声信号検出ステップと、前記音声信号検出ステップにより発呼者からの音声信号が検出されるとき、前記発呼者に対して応答メッセージを送るステップと、前記音声信号検出ステップにより発呼者からの音声信号が検出されるとき、前記携帯電話機利用禁止エリア内に居る利用者を呼び出すよう前記呼出装置を制御するステップと、呼び出された利用者による前記内線電話機からの応答を受信するステップと、前記内線電話機からの応答を受信して、保留されている呼を前記内線電話機へ接続するステップとを有することを特徴とする。
【００１２】
さらに、本発明の携帯電話取り次ぎ方法は、前記構内交換機が、更に、前記着信呼制御ステップによって呼の接続を確立すると、前記携帯電話機に着信を要求した発呼者に対して応答メッセージを送る自動応答メッセージステップを有することを特徴とする。
【００１３】
【発明の実施の形態】
次に、本発明の実施の形態について図面を参照して詳細に説明する。
【００１４】
図１は、本発明による携帯電話取り次ぎシステムの構成ブロック図で、図２は、第１実施形態による携帯電話取り次ぎシステムの詳細構成ブロック図で、図３は、番号記憶テーブルである。
【００１５】
図１を参照して、構内エリア１００は、例えば病院のような、携帯電話機を利用できない携帯電話利用禁止エリア１０１と、例えば病院の受付１０３のような、携帯電話機を利用することのできる携帯電話利用可能エリア１０２とから構成されている。
【００１６】
図１において、本発明の携帯電話取り次ぎシステムは、携帯電話利用禁止エリア１０１には、構内交換機１２０と、構内交換機１２０に接続されて制御されるスピーカ１７０と構内ページャ基地局１５０と内線電話機１６０とを有し、そして、受付１０３である携帯電話利用可能エリア１０２には、構内交換機１２０から延びた有線回線１４５に接続配置された回線接続コネクタ１４０と、回線接続コネクタ４０により有線回線１４５に接続されている携帯電話機１１０とを有し、そして、構内エリア１００の外には、携帯電話利用可能エリア１０２に位置している携帯電話機１１０と構内エリア１００の外に位置する携帯電話機９０とを無線通信する無線基地局２００を有して構成される。
【００１７】
携帯電話機１１０を保有する利用者は、病院のような構内エリア１００を訪問するとき、まず、受付１０３に入り、受付担当者に携帯電話機１１０を預ける。
【００１８】
受付担当者は、この携帯電話機１１０を回線接続コネクタ１４０に接続し、そして、内線電話機１６０から応答するためのＩＤカード番号が記憶されているＩＤカード１６２と、構内ページャ基地局１５０からの無線による呼び出しを受信するための構内ページャ受信機１５２とを利用者に手渡す。利用者は、手渡されたＩＤカード１６２と構内ページャ受信機１５２とを所有して、病院のような携帯電話利用禁止エリア１０１に入る。
【００１９】
構内交換機１２０は、無線基地局２００から携帯電話機１１０ヘの着信呼を検出すると、携帯電話利用禁止エリア１０１に居る利用者を呼び出すようスピーカ１７０と構内ページャ基地局１５０に指示をする。
【００２０】
スピーカ１７０は、構内交換機１２０からの指示により、音声で利用者を呼び出す。
【００２１】
構内ページャ基地局１５０は、利用者に手渡された構内ページャ受信機１５２を呼び出す。
【００２２】
内線電話機１６０は、呼び出された利用者により挿入されたＩＤカード１６２のＩＤカード番号を読み取る読取手段を有し、この読取手段が、ＩＤカード番号を読み取ると、構内交換機１２０と接続される。
【００２３】
構内交換機１２０は、携帯電話機１１０ヘの着信呼を、ＩＤカード１６２が挿入された内線電話機１６０に接続する。
【００２４】
本発明の携帯電話取り次ぎシステムの構成を、更に詳しく説明する。
【００２５】
図２において、有線回線１４５は、携帯電話機１１０と構内交換機１２０と間でやり取りする１６並列のシリアルデータ信号を伝送する１６芯シリアル信号回線１４６と、携帯電話機１１０と構内交換機１２０と間でやり取りする音声信号を伝送する音声信号回線１４７とを有して構成されている。
【００２６】
複数の携帯電話機１１０を交換機１２０と接続するために、この有線回線１４５は、複数本用意され、この複数本の有線回線１４５のそれぞれを識別するための端子番号１番、２番、…、ｎ番が付与されている。
【００２７】
有線回線１４５の片端に接続された回線接続コネクタ１４０は、携帯電話機１１０と間で１６並列のシリアルデータ信号を接続する回線側１６芯コネクタ１４１と、携帯電話機１１０と間で音声信号を接続する回線側音声信号コネクタ１４２とを有して構成される。
【００２８】
携帯電話機１１０は、無線基地局２００と間の無線通信を制御する無線制御部１１１と、携帯電話機１１０を制御する装置制御部１１２と、音声の送信と受信をする音声送受信部１１３と、携帯電話機接続コネクタ１１４とを有して構成される。
【００２９】
携帯電話機接続コネクタ１１４は、携帯電話機１１０と構内交換機１２０と間でやり取りするデータ信号を１６芯シリアル信号回線１４６に接続するための１６芯シリアルインタフェースコネクタ１１５と、音声送受信部１１３と構内交換機１２０と間でやり取りする音声信号を音声信号回線１４７に接続するためのイヤホンマイクコネクタ１１６とを有して構成される。
【００３０】
構内交換機１２０は、交換スイッチ部１２１と、発着呼制御部１２３と、音声インタフェース部１２５と、自動応答メッセージ部１２７と、番号記憶部１３０と、スピーカ音声制御部１３２と、ページャ呼出制御部１３４と、内線電話機インタフェース部１３６と、構内交換機１２０の全体を制御する制御部１３８を有して構成される。
【００３１】
交換スイッチ部１２１は、制御部１３８からの指令により、音声信号の通話路を切り替え接続する。
【００３２】
発着呼制御部１２３は、携帯電話機１１０に対する着信要求信号を、１６芯シリアル信号回線１４６を介して受信し、即座にオフフック動作により自動応答して呼の接続を確立するとともに、この呼の接続を保留する。そして、発着呼制御部１２３は、呼の接続を保留している旨を制御部１３８へ通知する。この発着呼制御部１２３は、端子番号１番、２番、…、ｎ番の１６芯シリアル信号回線１４６毎に備わっている。
【００３３】
音声インタフェース部１２５は、携帯電話機１１０からの音声信号を、音声信号回線１４７を介して受信し、この音声信号を交換スイッチ部１２１へ入力する。また、音声インタフェース部１２５は、内線電話機１６０からの音声信号を、交換スイッチ部１２１を介して受信し、この音声信号を、音声信号回線１４７を介して携帯電話機１１０へ送る。音声インタフェース部１２５は、端子番号１番、２番、…、ｎ番の音声信号回線１４７毎に備わっている。
【００３４】
番号記憶部１３０は、図３に示す番号記憶テーブル１３１を記憶する。
【００３５】
番号記憶テーブル１３１は、有線回線の端子番号と、受付１０３で利用者に渡される構内ページャ受信機１５２のページャ番号と、受付１０３で利用者に渡されるＩＤカード１６２のＩＤカード番号との関係を示すテーブルである。
【００３６】
自動応答メッセージ部１３０は、携帯電話機１１０に着信を要求した発呼者に対して送る自動応答メッセージを発生し、この自動応答メッセージを交換スイッチ部１２１へ送る。
【００３７】
スピーカ音声制御部１３２は、スピーカ１７０に構内エリア１００に居る利用者を呼び出すための音声を発生するようスピーカ１７０に指示する。
【００３８】
ページャ呼出制御部１３４は、受付１０３で利用者に渡される構内ページャ受信機１５２を呼び出すよう構内ページャ基地局１５０に指示する。
【００３９】
内線電話機インタフェース部１３６は、内線電話機１６０をインタフェースするとともに、内線電話機１６０に挿入されたＩＤカード１６２のＩＤカード番号を受信し、このＩＤカード番号を制御部１３８に通知する。
【００４０】
制御部１３８は、発着呼制御部１２３から呼の接続を保留している旨の通知を受けると、自動応答メッセージ部１３０を、携帯電話機１１０への着信要求信号を送ってきた有線回線１４３に接続するよう交換スイッチ部１２１を制御する。また、制御部１３８は、発着呼制御部１２３から呼の接続を保留している旨の通知を受けると、番号記憶部１３０に記憶されている番号記憶テーブル１３１を参照して、呼び出すべき構内ページャ受信機１５２のページャ番号を獲得し、獲得したページャ番号の構内ページャ受信機１５２を呼び出すようページャ呼出制御部１３４に指示する。また、制御部１３８は、発着呼制御部１２３から呼の接続を保留している旨の通知を受けると、スピーカ音声制御部１３２は、利用者を呼び出すための音声をスピーカ１７０で発生するようスピーカ音声制御部１３２に指示する。また、制御部１３８は、内線電話機インタフェース部１３６から、内線電話機１６０に挿入されたＩＤカード１６２のＩＤカード番号を受信し、そして、番号記憶テーブル１３１を参照して、このＩＤカード番号に対応する端子番号を獲得し、そして、この端子番号が付与された有線回線１４３とＩＤカード１６が挿入された内線電話機１６０とを接続するよう交換スイッチ部１２１へ指示する。
次に、本発明の実施形態の動作について図面を参照して詳細に説明する。
【００４１】
図４は、動作のフローチャートである。
【００４２】
図４を主体に、図１と図２と図３を併せて参照して動作を説明する。
【００４３】
携帯電話機１１０−１を保有する利用者は、病院のような構内エリア１００を訪問するとき、まず、受付１０３に入り、電源を投入した携帯電話機１１０−１を受付担当者に預ける。
【００４４】
受付担当者は、この携帯電話機１１０−１を、端子番号１番の有線回線１４５−１接続されている回線接続コネクタ１４０−１に接続する（ステップＳ１１１）。
【００４５】
このとき、携帯電話１１０−１は、無線基地局２００を介して無線交換システム（不図示）に位置を登録する（ステップＳ１１２）。
【００４６】
さらに、受付担当者は、携帯電話機１１０−１を保有していた利用者に、端子番号１番に対応するＩＤカード番号Ｉ０００１番のＩＤカード１６２−１と、端子番号１番に対応するページャ番号Ｐ０００１番の構内ページャ受信機１５２−１とを、携帯電話機１１０−１を保有していた利用者に手渡す。
【００４７】
利用者は、手渡されたＩＤカード１６２−１と構内ページャ受信機１５２−１とを所有して、病院のような携帯電話利用禁止エリア１０１に入る。
【００４８】
構内エリア１００の外に位置している携帯電話機９０は、発呼して、回線接続コネクタ１４０−１に接続されている携帯電話機１１０−１への着信を要求する着信要求信号を、無線基地局２００を介して、携帯電話機１１０−１へ送る（ステップＳ９１）。
【００４９】
携帯電話機１１０−１は、さらに、この着信要求信号を、端子番号１番を有する有線回線１４３−１（すなわち、１６芯シリアル信号回線１４６−１）を介して発着呼制御部１２３−１へ送る（ステップＳ１１３）。
【００５０】
発着呼制御部１２３−１は、着信要求信号を受信すると、即座にオフフック動作により自動応答して呼の接続を確立するとともに、この呼の接続を保留する（ステップＳ１２１）。そして、発着呼制御部１２３は、呼の接続を保留している旨を制御部１３８へ通知する。
【００５１】
制御部１３８は、呼の接続を保留している旨の通知を受けると、交換スイッチ部１２１を制御して、自動応答メッセージ部１３０を有線回線１４３−１（すなわち、音声信号回線１４７−１）に接続し、そして、自動応答メッセージ部１３０を起動する。
【００５２】
自動応答メッセージ部１３０は、制御部１３８からの起動により、「自動応答しました。現在、転送中です。」という趣旨の自動応答メッセージを、交換スイッチ部１２１と音声インタフェース部１２５―１を介して、音声信号回線１４７−１へ送出する（ステップＳ１２２）。
【００５３】
携帯電話機１１０−１は、音声送受信部１１３で、音声信号回線１４７−１からの自動応答メッセージを受信し、更に、この自動応答メッセージを、無線制御部１１１から無線基地局２００を介して携帯電話機９０宛てに送る。
【００５４】
さらに、制御部１３８は、発着呼制御部１２３から呼の接続を保留している旨の通知を受けると、番号記憶部１３０に記憶されている番号記憶テーブル１３１を参照して、有線回線１４３−１の端子番号１番に対応するページャ番号Ｐ０００１番を取得し、取得したページャ番号Ｐ０００１番の構内ページャ受信機１５２−１を呼び出すようページャ呼出制御部１３４に指示する。
【００５５】
ページャ呼出制御部１３４は、制御部１３８からの指示をうけて、ページャ番号Ｐ０００１番の構内ページャ受信機１５２−１を呼び出すよう構内ページャ基地局１５０に指示する（ステップＳ１２３）。
【００５６】
構内ページャ基地局１５０は、構内ページャ受信機１５２−１を呼び出す（ステップＳ１５１）。
【００５７】
また、制御部１３８は、発着呼制御部１２３から呼の接続を保留している旨の通知を受けると、利用者を呼び出すための音声をスピーカ１７０から発生するようスピーカ音声制御部１３２に指示する。
【００５８】
スピーカ音声制御部１３２は、制御部１３８からの指示を受けると、スピーカ１７０に音声を発生するよう指示する（ステップＳ１２４）。
【００５９】
スピーカ１７０は、利用者を呼び出すための音声を発生する（ステップＳ１７１）。
【００６０】
構内ページャ受信機１５２−１とＩＤカード１６２−１を所有している利用者は、携帯電話利用禁止エリア１０１に居て、構内ページャ受信機１５２−１から呼び出しを受けると、あるいは、スピーカ１７０から音声による呼び出しを受けると、最寄りの内線電話機１６０にＩＤカード１６２−１を挿入する。
【００６１】
内線電話機１６０は、ＩＤカード１６２−１が挿入されると、ＩＤカード１６２−１に記憶されているＩＤカード番号Ｉ０００１番を読み取り、そして、このＩＤカード番号Ｉ０００１番を含む、発信のための発信信号を、構内交換機１２０へ送る（ステップＳ１６１）。
【００６２】
構内交換機１２０の内線電話機インタフェース部１３６は、内線電話機１６０から、ＩＤカード番号Ｉ０００１番を含む発信信号を受けると、このＩＤカード番号Ｉ０００１番を制御部１３８へ送る。
【００６３】
制御部１３８は、内線電話機インタフェース部１３６から、ＩＤカード番号Ｉ０００１番を受けると、番号記憶部１３０に記憶されている番号記憶テーブル１３１を参照して、ＩＤカード番号Ｉ０００１番に対応する端子番号１番を取得すし、そして、端子番号１番の有線回線１４５−１と、ＩＤカード番号Ｉ０００１番のＩＤカード１６２−１が挿入されている内線電話機１６０とを接続するよう交換スイッチ部１２１を指示する。
【００６４】
交換スイッチ部１２１は、制御部１３８からの指示により、携帯電話１１０―１が接続されている端子番号１番の有線回線１４５−１と内線電話機１６０とを接続する（ステップＳ１２５）。
【００６５】
内線電話機１６０は、携帯電話１１０―１を介して、構内エリアの外の携帯電話機９０と通信する（ステップＳ１２６）。
【００６６】
携帯電話利用禁止エリア１０１に居る利用者は、内線電話機１６０で、携帯電話１１０―１を介して、構内エリアの外の携帯電話機９０と通信が出来る。
【００６７】
次に、本発明の第２実施形態を説明する。
【００６８】
図５は、本発明の第２実施形態による携帯電話取り次ぎシステムの詳細構成ブロック図である。
図５を参照して、本発明の第２実施形態による携帯電話取り次ぎシステムは、携帯電話機１０８と、構内交換機１８０と、携帯電話機１０８と構内交換機１２１と間でやり取りする音声信号を伝送する音声信号回線１４７と、構内ページャ受信機１５２を呼び出す構内ページャ基地局１５０と、ＩＤカード１６２で発呼する内線電話機１６０と、スピーカ１７０と、を有して構成される。
【００６９】
携帯電話機１０８は、第１実施形態による携帯電話機１１０が具備している無線制御部１１１と装置制御部１１２と音声送受信部１１３とイヤホンマイクコネクタ１１６とに加えて、着呼自動応答部１１８を有して構成される。
【００７０】
着呼自動応答部１１８は、携帯電話機１０８へ到来する着信要求に対して、オフフック動作により自動応答して呼の接続を確立する。
【００７１】
音声信号回線１４７の片端に接続された回線側音声コネクタ１４２は、携帯電話機１０８のイヤホンマイクコネクタ１１６と接続する。
【００７２】
音声信号回線１４７は、複数の携帯電話機１０８を交換機１２０と接続するために、音声信号回線１４７は、複数本用意され、この複数本のそれぞれを識別するための端子番号１番、２番、…、ｎ番が付与されている。
【００７３】
構内交換機１８０は、第１実施形態による構内交換機１２０が具備している交換スイッチ部１２１と自動応答メッセージ部１２７と番号記憶部１３０とスピーカ音声制御部１３２とページャ呼出制御部１３４と内線電話機インタフェース部１３６と制御部１３８とに加えて、音声検出接続部１２７を有して構成される。
【００７４】
音声検出接続部１２７は、呼が接続された携帯電話機１０８から音声信号回線１４７経由で到来する音声信号を検出する手段と、音声信号を検出した旨を制御部１３８へ通知する手段と、検出した音声信号を交換スイッチ部１２１へ転送する手段と、交換スイッチ部１２１からの音声信号を音声信号回線１４７へ送る手段とを有している。音声検出接続部１２７は、端子番号１番、２番、…、ｎ番の音声信号回線１４７毎に備わっている。
【００７５】
次に、本発明の第２実施形態の動作を説明する。
【００７６】
図５を参照して、回線側音声コネクタ１４２―１に接続された携帯電話機１０８―１が、発信者からの着信要求信号を受けると、携帯電話機１０８―１の着呼自動応答部１１８は、オフフック動作により自動応答して呼の接続を確立する。
【００７７】
次に、呼の接続を確立した携帯電話機１０８―１は、発信者からの音声信号を、端子番号１番の音声信号回線１４７―１へ送る。
【００７８】
構内交換機１８０の音声検出接続部１２７―１は、端子番号１番の音声信号回線１４７―１から音声信号を検出すると、音声信号を検出した旨を制御部１３８へ通知する。
【００７９】
制御部１３８は、音声信号を検出した旨の通知を受けると、交換スイッチ部１２１を制御して、自動応答メッセージ部１３０を、端子番号１の音声信号回線１４７−１に接続し、そして、自動応答メッセージ部１３０を起動する。
【００８０】
自動応答メッセージ部１３０は、自動応答メッセージを音声信号回線１４７−１に送る。
【００８１】
さらに、制御部１３８は、音声信号を検出した旨の通知を受けると、番号記憶部１３０に記憶されている番号記憶テーブル１３１を参照して、有線回線１４３−１の端子番号１番に対応するページャ番号を取得し、このページャ番号の構内ページャ受信機１５２−１を呼び出すようページャ呼出制御部１３４に指示する。
【００８２】
構内ページャ基地局１５０は、呼出制御部１３４に制御されて、構内ページャ受信機１５２−１を呼び出す。
【００８３】
また、制御部１３８は、音声信号を検出した旨の通知を受けて、呼び出し音声をスピーカ１７０から発生するようスピーカ音声制御部１３２に指示すると、スピーカ１７０は、呼び出し音声を発生する。
【００８４】
呼び出された利用者が、所有するＩＤカード１６２−１を内線電話機１６０に挿入して発信すると、制御部１３８は、交換スイッチ部１２１を制御して、内線電話機１６０と端子番号１番の音声信号回線１４７−１とを接続する。これにより、利用者は、内線電話機１６０で、携帯電話機１０８−１を介して発呼者と通信できる。
【００８５】
【発明の効果】
以上説明したように、本発明は、利用者が携帯電話機利用禁止エリアに入場するとき、利用者の所有する携帯電話機を、回線接続コネクタに接続して配置し、この携帯電話機への着信を、携帯電話機利用禁止エリアに居る利用者に取り次ぐよう構成されているので、携帯電話機の電話番号を登録する必要が一切なく、高いセキュリティを保って取り次ぎすることが出来るという効果がある。
【図面の簡単な説明】
【図１】本発明の携帯電話取り次ぎシステムの構成ブロック図である。
【図２】第１実施形態による携帯電話取り次ぎシステムの詳細構成ブロック図である。
【図３】番号記憶テーブルである。
【図４】動作のフローチャートである。
【図５】第２実施形態による携帯電話取り次ぎシステムの詳細構成ブロック図である。
【符号の説明】
１００    構内エリア
１０１    携帯電話利用禁止エリア
１０２    携帯電話利用可能エリア
９０、１０８、１１０    携帯電話機
１２０    構内交換機
１４５    有線回線
１５０    構内ページャ基地局
１５２    構内ページャ受信機
１６０    内線電話機
１６２    ＩＤカード
１７０    スピーカ
２００    無線基地局
【図１】
0003698994.tif 000002
【図２】
0003698994.tif 000003
【図３】
0003698994.tif 000004
【図４】
0003698994.tif 000005
【図５】
0003698994.tif 000006